(57)【要約】  【課題】高齢者であっても簡単に着脱することの可能な骨盤底筋サポーターを提供する。  【解決手段】骨盤底筋サポーター１は、人体への装着時に股間に下方から密着して骨盤底筋を支持する支持部材１０と、支持部材１０を人体に対して牽引装着するための牽引紐３０であって、支持部材１０の右側の二箇所に接続された右回り牽引紐３１と、支持部材１０の左側の二箇所に接続された左回り牽引紐３２と、支持部材１０の前側の二箇所に接続された後回り牽引紐３３と、支持部材１０の後側の二箇所に接続された前回り牽引紐３４と、を有する牽引紐３０と、を備え、人体への装着時に、支持部材１０が骨盤底筋を持ち上げるように支持する。【選択図】図２
2016087107.tif 000002
【特許請求の範囲】
【請求項１】
人体の股間部分に装着される骨盤底筋サポーターにおいて、
人体への装着時に股間に下方から密着して骨盤底筋を支持する支持部材と、
前記支持部材を人体に対して牽引装着するための牽引紐であって、前記支持部材の右側の二箇所に接続された右回り牽引紐と、前記支持部材の左側の二箇所に接続された左回り牽引紐と、前記支持部材の前側の二箇所に接続された後回り牽引紐と、前記支持部材の後側の二箇所に接続された前回り牽引紐と、を有する牽引紐と、
を備え、
人体への装着時に、前記右回り牽引紐は、前記支持部材の右側の二箇所を人体の右足太腿部分の右側回りで連結して牽引し、前記左回り牽引紐は、前記支持部材の左側の二箇所を人体の左足太腿部分の左側回りで連結して牽引し、前記後回り牽引紐は、前記支持部材の前側の二箇所を人体の後側回りで連結して牽引し、前記前回り牽引紐は、前記支持部材の後側の二箇所を人体の前側回りで連結して牽引し、前記支持部材が骨盤底筋を持ち上げるように支持することを特徴とする骨盤底筋サポーター。
【請求項２】
前記支持部材は、前側の第一支持片と、後側の第二支持片と、前記第一支持片と前記第二支持片とを所定の間隔を空けて連結する連結紐とを備え、人体への装着時に複数の場所を同時に持ち上げるように支持することを特徴とする請求項１記載の骨盤底筋サポーター。
【請求項３】
前記支持部材は、前記連結紐を調整することで前記第一支持片と前記第二支持片との間隔を調整可能に構成されていることを特徴とする請求項２記載の骨盤底筋サポーター。
【発明の詳細な説明】
【技術分野】
【０００１】
本発明は、人体の股間の部分に位置する骨盤底筋を支持する骨盤底筋サポーターに関する。
【背景技術】
【０００２】
近年、加齢や出産等が原因となって機能が低下する骨盤底筋（骨盤底筋群）を鍛えることで、尿漏れ・尿失禁、前立腺肥大等の症状を緩和できることが知られており、骨盤底筋を鍛えるための骨盤底筋体操が次第に普及している。
【０００３】
また、骨盤底筋を鍛えるために用いる器具等も提供されており、例えば、下記特許文献１乃至３に開示されている。
【先行技術文献】
【特許文献】
【０００４】
【特許文献１】特開２０１２−１１０４５９号公報
【特許文献２】特開２０１２−７７４０８号公報
【特許文献３】特開２００８−２９７号公報
【発明の概要】
【発明が解決しようとする課題】
【０００５】
しかし、骨盤底筋体操を継続して行うのは、体力の低下した高齢者にとっては負担が大きく、また、器具を使って骨盤底筋を鍛える運動も高齢者にとっては負担が大きい。
【０００６】
また、上記特許文献２には、穿くことで装着者の骨盤底筋をトレーニングすることができるガードルが開示されているが、伸長性帯状構造を備えたガードルは、きついために穿いたり脱いだりする作業が大変であり、高齢者が一人で着脱するのは困難である。
【０００７】
本発明は、このような課題に鑑みてなされたものであり、高齢者であっても簡単に着脱することの可能な骨盤底筋サポーターを提供することを目的とする。
【課題を解決するための手段】
【０００８】
上記課題を解決するための本発明に係る骨盤底筋サポーターは、人体の股間部分に装着される骨盤底筋サポーターにおいて、人体への装着時に股間に下方から密着して骨盤底筋を支持する支持部材と、前記支持部材を人体に対して牽引装着するための牽引紐であって、前記支持部材の右側の二箇所に接続された右回り牽引紐と、前記支持部材の左側の二箇所に接続された左回り牽引紐と、前記支持部材の前側の二箇所に接続された後回り牽引紐と、前記支持部材の後側の二箇所に接続された前回り牽引紐と、を有する牽引紐と、を備え、人体への装着時に、前記右回り牽引紐は、前記支持部材の右側の二箇所を人体の右足太腿部分の右側回りで連結して牽引し、前記左回り牽引紐は、前記支持部材の左側の二箇所を人体の左足太腿部分の左側回りで連結して牽引し、前記後回り牽引紐は、前記支持部材の前側の二箇所を人体の後側回りで連結して牽引し、前記前回り牽引紐は、前記支持部材の後側の二箇所を人体の前側回りで連結して牽引し、前記支持部材が骨盤底筋を持ち上げるように支持することを特徴とする。
【発明の効果】
【０００９】
本発明に係る骨盤底筋サポーターによれば、高齢者であっても簡単に着脱が可能であり、装着することで骨盤底筋の機能を回復させることができる。
【図面の簡単な説明】
【００１０】
【図１】図１は、本発明の実施形態に係る骨盤底筋サポーターの斜視図である。
【図２】図２は、本発明の実施形態に係る骨盤底筋サポーターの牽引紐を広げた状態の斜視図である。
【図３】図３は、本発明の実施形態に係る骨盤底筋サポーターの穿く際の望ましい状態を示す平面図である。
【図４】図４は、本発明の実施形態に係る骨盤底筋サポーターを人体に装着した状態を示す斜視図である。
【図５】図５は、本発明の実施形態の変形例１に係る骨盤底筋サポーターの斜視図である。
【図６】図６は、本発明の実施形態の変形例２に係る骨盤底筋サポーターの斜視図である。
【図７】図７は、本発明の実施形態の変形例３に係る骨盤底筋サポーターの斜視図である。
【図８】図８は、本発明の実施形態の変形例４に係る骨盤底筋サポーターの牽引紐を広げた状態を示す斜視図である。
【図９】図９は、本発明の実施形態の変形例４に係る骨盤底筋サポーターを人体に装着した状態を示す斜視図である。
【図１０】図１０は、本発明の実施形態の変形例５に係る骨盤底筋サポーターの牽引紐を広げた状態を示す斜視図である。
【図１１】図１１は、本発明の実施形態の変形例５に係る骨盤底筋サポーターを人体に装着した状態を示す斜視図である。
【図１２】図１２は、本発明の実施形態の変形例６に係る骨盤底筋サポーターの牽引紐を広げた状態を示す斜視図である。
【図１３】図１３は、本発明の実施形態の変形例６に係る骨盤底筋サポーターを人体に装着した状態を示す斜視図である。
【発明を実施するための形態】
【００１１】
以下、図面を参照しながら本発明の実施の形態について詳細に説明する。図１は、本発明の実施形態に係る骨盤底筋サポーターの斜視図である。図２は、本発明の実施形態に係る骨盤底筋サポーターの牽引紐を広げた状態の斜視図である。骨盤底筋サポーター１は、人体への装着時に骨盤底筋を押し上げるように股間に下方から密着する支持部材１０と、支持部材１０を人体に装着するための牽引紐３０とを備えている。
【００１２】
支持部材１０は、厚みのある長方形状の布部材であり、本実施形態では、長方形状のネル生地を八重程度に折って構成している。長方形状の支持部材１０の四つの角部である四隅には、牽引紐３０を接続するための挿通穴１１〜１４が二箇所ずつ、合計八箇所の挿通穴１１〜１４が形成されている。牽引紐３０がこれらの挿通穴１１〜１４に接続されることで、支持部材１０が牽引されて、人体へと装着される。
【００１３】
支持部材１０の人体への装着時に右前に位置する右前角部には、右前挿通穴１１（第一右前挿通穴１１Ａ、第二右前挿通穴１１Ｂ）が形成され、同じく右後角部には、右後挿通穴１２（第一右後挿通穴１２Ａ、第二右後挿通穴１２Ｂ）が形成されている。また、支持部材１０の人体への装着時に左前に位置する左前角部には、左前挿通穴１３（第一左前挿通穴１３Ａ、第二左前挿通穴１３Ｂ）が形成され、同じく左後角部には、左後挿通穴１４（第一左後挿通穴１４Ａ、第二左後挿通穴１４Ｂ）が形成されている。
【００１４】
牽引紐３０は、右回り牽引紐３１、左回り牽引紐３２、後回り牽引紐３３、前回り牽引紐３４の4本の紐を備えている。各牽引紐３１〜３４は、ストッキング素材の布を丸めて作った伸縮性の高いストッキング製紐である。
【００１５】
右回り牽引紐３１は、一端が第二右前挿通穴１１Ｂに、他端が第二右後挿通穴１２Ｂに結び付けられて接続固定されている。左回り牽引紐３２は、一端が第二左前挿通穴１３Ｂに、他端が第二左後挿通穴１４Ｂに結び付けられて接続固定されている。
【００１６】
また、後回り牽引紐３３は、一端が第一右前挿通穴１１Ａ、他端が第一左前挿通穴１３Ａに結び付けられて接続固定されている。前回り牽引紐３４は、一端が第一右後挿通穴１２Ａ、他端が第一左後挿通穴１４Ａに結び付けられて接続固定されている。このように、両端が支持部材１０に固定接続された各牽引紐３１〜３４は、図１等に示すように、輪を構成している。
【００１７】
そして、骨盤底筋サポーター１の装着時、右回り牽引紐３１は、装着者の右足太腿部分の右側回りに延在する右回りの牽引紐として機能し、左回り牽引紐３２は、装着者の左足太腿部分の左側回りに延在する左回りの牽引紐として機能する。また、後回り牽引紐３３は、装着者の腰部分の後側回りに延在する後回りの牽引紐として機能し、前回り牽引紐３４は、装着者の腰部分の前側回りに延在する前回りの牽引紐として機能する。
【００１８】
以上、骨盤底筋サポーター１の構成について説明したが、続いて、骨盤底筋サポーター１の装着手順について説明する。図３は、本実施形態に係る骨盤底筋サポーターを穿く際の望ましい状態を示す平面図である。図４は、本実施形態に係る骨盤底筋サポーターを人体に装着した状態を示す斜視図である。
【００１９】
骨盤底筋サポーター１を装着する際には、装着者は、まず、骨盤底筋サポーター１が図３に示す状態となるように、右回り牽引紐３１によって形成される輪と、左回り牽引紐３２によって形成される輪が左右に広がった状態となるように整える。その後、後回り牽引紐３３を、後側（図３において下側）に折り曲げた状態であって、支持部材１０、右回り牽引紐３１による輪及び左回り牽引紐３２による輪の全体を囲むような状態の輪となるように整える。
【００２０】
また、同様に、前回り牽引紐３４を、前側（図３において上側）に折り曲げた状態であって、支持部材１０、右回り牽引紐３１による輪及び左回り牽引紐３２による輪の全体を囲むような状態の輪となるように整える。
【００２１】
この状態では、支持部材１０の右側（図３において右側）に、右回り牽引紐３１による輪、後回り牽引紐３３による輪及び前回り牽引紐３４による輪によって三重に囲まれた領域が形成され、支持部材１０の左側（図３において左側）に、左回り牽引紐３２による輪、後回り牽引紐３３による輪及び前回り牽引紐３４による輪によって三重に囲まれた領域が形成される。
【００２２】
このような状態の骨盤底筋サポーター１に対して、装着者が右足を右側の三重に囲まれた領域に通し、左足を左側の三重に囲まれた領域に通してから、支持部材１０が股間に密着するように骨盤底筋サポーター１全体を上方へと引き上げ、適宜、支持部材１０や牽引紐３０の位置を調整すれば、図４に示す装着状態となり、装着が完了する。なお、支持部材１０の位置調整にあたっては、支持部材１０が所望の骨盤底筋、例えば、尿道を締める骨盤底筋群の部分を押し上げるような場所に位置するように調整を行う。
【００２３】
骨盤底筋サポーター１を装着した状態では、右回り牽引紐３１は、支持部材１０の右前角部（第二右前挿通穴１１Ｂ）と右後角部（第二右後挿通穴１２Ｂ）とを、装着者の右足太腿部分の右側回りで連結して牽引し、左回り牽引紐３２は、支持部材１０の左前角部（第二左前挿通穴１３Ｂ）と左後角部（第二左後挿通穴１４Ｂ）とを、装着者の左足太腿部分の左側回りで連結して牽引する。
【００２４】
また、後回り牽引紐３３は、支持部材１０の右前角部（第一右前挿通穴１１Ａ）と左前角部（第一左前挿通穴１３Ａ）とを、装着者の腰部分の後側回りで連結して牽引し、前回り牽引紐３４は、支持部材１０の右後角部（第一右後挿通穴１２Ａ）と左後角部（第一左後挿通穴１４Ａ）とを、装着者の腰部分の前側回りで連結して牽引する。
【００２５】
このように、本実施形態では、4本の牽引紐３１〜３４からなる牽引紐３０により、支持部材１０の前側部分と後側部分とを人体の右側回りと左側回りで連結牽引により引き寄せると共に、支持部材１０の前側部分の二箇所を人体の後側回りで連結牽引して引き寄せ、さらには、支持部材１０の後側部分の二箇所を人体の前側回りで連結牽引により引き寄せているので、支持部材１０を人体の股間部分に安定して装着することができる。なお、本実施形態では、挿通穴１１〜１４は、支持部材１０の四隅に二箇所ずつ形成されているが、一箇所ずつにして一つの各挿通穴１１〜１４を共有するようにしても良い。
【００２６】
また、4本の牽引紐３１〜３４により、支持部材１０を四方向に引き上げることができ、支持部材１０を人体の股間の骨盤底筋の部分に密着させて、確実にしっかりと持ち上げることができる。
【００２７】
もちろん、骨盤底筋サポーター１の装着の手順は適宜変更可能であり、上述したように、牽引紐３１〜３４の輪を複数重ねて同時に足に通すのではなく、各牽引紐３１〜３４の輪に別々に足を通して装着するようにしても良い。
【００２８】
以上、詳細に説明した骨盤底筋サポーター１によれば、支持部材１０により骨盤底筋を上方に持ち上げて支えることができる。膀胱や尿道を支えている骨盤底筋が出産、肥満、加齢等の要因によって緩んでしまうと、重力によって膀胱や尿道が下がってしまって、尿漏れ等が生じてしまうが、このように、骨盤底筋サポーター１によって骨盤底筋を上方に持ち上げて支えることで、骨盤底筋の機能を回復させることができ、骨盤底筋の機能の低下による尿漏れ等の発生を防止することができる。
【００２９】
また、本実施形態によれば、長方形状の支持部材１０により局所的に所望の骨盤底筋の場所だけを押し上げることができるため、骨盤底筋サポーター１を脱ぐこと無く着用したまま排尿を行うことが可能であり、排尿時にも骨盤底筋の機能を良好に発揮させることができる。
【００３０】
（変形例１）
続いて、上記実施形態の変形例１について説明する。図５は、本実施形態の変形例１に係る骨盤底筋サポーターの斜視図である。変形例１に係る骨盤底筋サポーター２は、上述した骨盤底筋サポーター１の構成において、各牽引紐３１〜３４を、二つの紐を結び合わせた一繋がりの紐として構成したことを特徴としている。よって、本変形例１については、上記実施形態と異なる構成についてのみ説明し、上記骨盤底筋サポーター１と同じ構成には同じ番号を付して説明を省略する。
【００３１】
具体的には、右回り牽引紐３１を、結び合わせた第一右回り牽引紐３１Ａと第二右回り牽引紐３１Ｂとから構成し、左回り牽引紐３２を、結び合わせた第一左回り牽引紐３２Ａと第二左回り牽引紐３２Ｂとから構成し、後回り牽引紐３３を、結び合わせた第一後回り牽引紐３３Ａと第二後回り牽引紐３３Ｂとから構成し、前回り牽引紐３４を、結び合わせた第一前回り牽引紐３４Ａと第二後回り牽引紐３４Ｂとから構成している。
【００３２】
このように、各牽引紐３１〜３４を結び合わせた二つの紐から構成し、結び合わせる場所を変えることで、各牽引紐３１〜３４の長さを適宜調整することができる。これにより、骨盤底筋サポーター２のサイズ調整を行って、色々な体型の人に装着することができると共に、装着時の支持部材２０の位置が所望の場所（持ち上げたい骨盤底筋の場所）となるように適宜調整することができる。
【００３３】
以上、本変形例１によれば、上記実施形態に係る作用効果に加えて、骨盤底筋サポーター２のサイズや位置の調整を容易に行うことが可能となる。
【００３４】
（変形例２）
続いて、上記実施形態の変形例２について説明する。図６は、本実施形態の変形例２に係る骨盤底筋サポーターの斜視図である。変形例２に係る骨盤底筋サポーター３では、牽引紐４０が、一本の長尺の紐から一繋がりに構成されていることを特徴としている。よって、本変形例２については、上記実施形態と異なる構成についてのみ説明し、上記骨盤底筋サポーター１と同じ構成には同じ番号を付して説明を省略する。
【００３５】
支持部材２０は、上記実施形態に係る支持部材１０と同様の構成であるが、挿通穴２１〜２４が四つの角部に一箇所ずつ、合計四箇所に形成されている点で上記実施形態と異なる。詳細には、支持部材２０の人体への装着時に右前に位置する右前角部には、右前挿通穴２１が形成され、同じく右後角部には、右後挿通穴２２が形成されている。また、支持部材２０の人体への装着時に左前に位置する左前角部には、左前挿通穴２３が形成され、同じく左後角部には、左後挿通穴２４が形成されている。
【００３６】
牽引紐４０は、一本の長尺の紐から一繋がりに構成されており、本変形例２では、ブラジャーの肩紐等に用いられている織ゴムを使用している。牽引紐４０は、その全長を調整するために、長さ調整部材としての二つのエイトカン５１，５２を有する長さ調整部５０を備えており、牽引紐４０の両端は、エイトカン５１，５２にそれぞれ固定接続されている。長さ調整部５０は、後回り牽引紐４３の部分に設置されている。
【００３７】
一端が長さ調整部５０のエイトカン５１に固定された牽引紐４０は、順次、右前挿通穴２１、右後挿通穴２２、左後挿通穴２４、左前挿通穴２３を通され、その後、牽引紐４０の他端は、長さ調整部５０のエイトカン５２に固定接続される。
【００３８】
ここで、本変形例２では、牽引紐４０の右前挿通穴２１において支持部材２０に接続される部分を右前接続部、牽引紐４０の右後挿通穴２２において支持部材２０に接続される部分を右後接続部、牽引紐４０の左後挿通穴２４において支持部材２０に接続される部分を左後接続部、牽引紐４０の左前挿通穴２３において支持部材２０に接続される部分を左前接続部と称する。
【００３９】
長尺の牽引紐４０は、各接続部において、各挿通穴２１〜２４に通されて折り返された状態で束ねられて、締結紐５５により折返し前後の部分が締め付けられて、各挿通穴２１〜２４に対して動かないように固定されている。
【００４０】
但し、締結紐５５に対して牽引紐４０を強い力で引っ張れば、牽引紐４０を各挿通穴２１〜２４に対してスライドさせることが可能である。また、挿通穴２１〜２４から離れる方向に、牽引紐４０に対して締結紐５５をスライドさせてから、挿通穴２１〜２４に対して牽引紐４０を所定の方向に所定の長さスライドさせた後で、締結紐５５を挿通穴２１〜２４近傍まで戻すことでも、牽引紐４０を挿通穴２１〜２４に対してスライドさせることが可能である。
【００４１】
このように、牽引紐４０を挿通穴２１〜２４に対して適宜スライドさせることで、牽引紐４０の支持部材２０との上述した接続部（右前接続部、右後接続部、左後接続部、左前接続部）の位置を適宜調整することが可能であり、骨盤底筋サポーター３のサイズや、人体への装着時の支持部材２０の位置を適宜調整することが可能となる。
【００４２】
ここで、骨盤底筋サポーター３の装着時、牽引紐４０のうち、右前接続部（右前挿通穴２１）と右後接続部（右後挿通穴２２）との間に位置する部分は、装着者の右足太腿部分の右側回りに延在する右回り牽引紐４１となり、左前接続部（左前挿通穴２３）と左後接続部（左後挿通穴２４）との間に位置する部分は、装着者の左足太腿部分の左側回りに延在する左回り牽引紐４２となる。
【００４３】
また、骨盤底筋サポーター３の装着時、牽引紐４０のうち、右前接続部（右前挿通穴２１）と左前接続部（左前挿通穴２３）との間に位置する長さ調整部５０を含む部分は、装着者の腰部分の後側回りに延在する後回り牽引紐４３となり、右後接続部（右後挿通穴２２）と左後接続部（左後挿通穴２４）との間に位置する部分は、装着者の腰部分の前側回りに延在する前回り牽引紐４４となる。
【００４４】
長さ調整部５０においては、エイトカン５１，５２に対して牽引紐４０を適宜スライドさせ、二つのエイトカン５１，５２の間の牽引紐４０が二重になっている部分の長さを調整することで、牽引紐４０の全長を調整することができる。
【００４５】
以上、本変形例２によれば、上記実施形態に係る作用効果に加えて、骨盤底筋サポーター３のサイズや位置調整を容易に行うことができるという作用効果を奏する。なお、長さ調整部５０の構成は適宜変更可能であり、牽引紐４０の両端の結び場所を変えたり、エイトカン５１，５２以外の他の部品を採用したりすることで長さ調整を実現するようにしても良い。
【００４６】
（変形例３）
続いて、上記実施形態の変形例３について説明する。図７は、本実施形態の変形例４に係る骨盤底筋サポーターの斜視図である。変形例３に係る骨盤底筋サポーター４は、上述した骨盤底筋サポーター１の構成において、支持部材１０に代わりに、二つに分割された支持片６０Ａ，６０Ｂから構成した支持部材６０を採用したことを特徴としている。よって、本変形例３については、上記実施形態と異なる構成についてのみ説明し、上記骨盤底筋サポーター１と同じ構成については同じ番号を付して説明を省略する。
【００４７】
支持部材６０は、装着時に人体の前側に位置する第一支持片６０Ａと、後側に位置する第二支持片６０Ｂと、第一支持片６０Ａと第二支持片６０Ｂとを装着時に所定の間隔となるように連結する二本の連結紐６７とを備えている。第一支持片６０Ａ及び第二支持片６０Ｂは、支持部材１０と同じように、ネル生地を八重程度に折り畳んで構成されている。
【００４８】
連結紐６７は、牽引紐３０と同様に、ストッキング素材の布を丸めて作った伸縮性の高いストッキング製紐である。第一支持片６０Ａの装着時の後側周縁部の右側部分と左側部分には、それぞれ連結穴６５が形成され、第二支持片６０Ｂの装着時の前側周縁部の右側部分と左側部分には、それぞれ連結穴６５が形成されている。
【００４９】
第一の連結紐６７は、第一支持片６０Ａの右側部分の連結穴６５と第二支持片６０Ｂの右側部分の連結穴６５とに通された状態で、両端が結び付けられて固定されており、リング紐として、第一支持片６０Ａと第二支持片６０Ｂの右側部分を所定の間隔より広がらないように連結している。
【００５０】
第二の連結紐６７は、第一支持片６０Ａの左側部分の連結穴６５と第二支持片６０Ｂの左側部分の連結穴６５とに通された状態で、両端が結び付けられて固定されており、リング紐として、第一支持片６０Ａと第二支持片６０Ｂの左側部分を所定の間隔より広がらないように連結している。
【００５１】
また、上記実施形態の挿通穴１１〜１４と同じように、第一支持片６０Ａの人体への装着時に右前に位置する右前角部には、右前挿通穴６１（第一右前挿通穴６１Ａ、第二右前挿通穴６１Ｂ）が形成され、同じく左前角部には、左前挿通穴６３（第一左前挿通穴６３Ａ、第二左前挿通穴６３Ｂ）が形成されている。
【００５２】
また、第二支持片６０Ｂの人体への装着時に右後に位置する右後角部には、右後挿通穴６２（第一右後挿通穴６２Ａ、第二右後挿通穴６２Ｂ）が形成され、同じく左後角部には、左後挿通穴６４（第一左後挿通穴６４Ａ、第二左後挿通穴６４Ｂ）が形成されている。よって、上記実施形態と同様に、牽引紐３０を挿通穴６１〜６４に適宜接続固定することで、支持部材６０を所望の形態で人体に対して装着することができる。
【００５３】
以上、本変形例３によれば、上記実施形態に係る作用効果に加えて、第一支持片６０Ａ及び第二支持片６０Ｂは、それぞれ股間の所定の場所に別々に装着することができるため、二本の牽引紐６７の長さや牽引紐３０の長さ等を調整したりすることで、複数の所望の骨盤底筋を同時に持ち上げることもできる。
【００５４】
（変形例４）
続いて、上記実施形態の変形例４について説明する。図８は、本実施形態の変形例４に係る骨盤底筋サポーターの牽引紐を広げた状態を示す斜視図である。図９は、本実施形態の変形例４に係る骨盤底筋サポーターを人体に装着した状態を示す斜視図である。
【００５５】
変形例４に係る骨盤底筋サポーター５は、上述した骨盤底筋サポーター１の構成において、さらに、右回り牽引紐３１と後回り牽引紐３３と前回り牽引紐３４とを所定の位置（装着時の人体の右側部分）で一体に接続して連結する紐接続部材５６と、左回り牽引紐３２と後回り牽引紐３３と前回り牽引紐３４とを所定の位置（装着時の人体の左側部分）で一体に接続して連結する紐接続部材５６とを備えることを特徴としている。
【００５６】
よって、本変形例４では、上記実施形態と異なる構成についてのみ説明し、上記骨盤底筋サポーター１と同じ構成については同じ番号を付して説明を省略する。一対の紐接続部材５６は、それぞれ一本のストッキング製紐から構成されており、接続する所定の牽引紐３１〜３４をひと結びにより一纏めに締結している。
【００５７】
本変形例４において、右側の紐接続部材５６は、右回り牽引紐３１の支持部材１０との右前の接続部から所定の長さ（右回り牽引紐３１の全長の約1/2）離れた位置に設置されて三者を締結している。同じく左側の紐接続部材５６は、左回り牽引紐３２の支持部材１０との左前の接続部から所定の長さ（左回り牽引紐３２の全長の約1/2）離れた位置に設置されて三者を締結している。
【００５８】
本変形例４によれば、右回り牽引紐３１、後回り牽引紐３３及び前回り牽引紐３４の所定の位置が紐接続部材５６により接続固定されているため、骨盤底筋サポーター５を装着していない状態であっても、図８に示すように、右足を通すための上記牽引紐３１，３３，３４により三重に囲まれた領域が形成されたままとなるので、骨盤底筋サポーター５を装着する際に装着者が簡単に当該領域に足を通すことができる。
【００５９】
また、同様に、左回り牽引紐３２、後回り牽引紐３３及び前回り牽引紐３４の所定の位置が紐接続部材５６により接続固定されているため、装着者は左足も容易に牽引紐３２，３３，３４により三重に囲まれた領域に通すことができる。
【００６０】
また、紐接続部材５６は、締結している牽引紐３１〜３４に対してスライド可能であり、締結位置を変えることで、後回り牽引紐３３や前回り牽引紐３４の牽引力を調整することができ、所望の位置の骨盤底筋を良好に押し上げることができる。
【００６１】
（変形例５）
続いて、上記実施形態の変形例５について説明する。図１０は、本実施形態の変形例５に係る骨盤底筋サポーターの牽引紐を広げた状態を示す斜視図である。図１１は、本実施形態の変形例５に係る骨盤底筋サポーターを人体に装着した状態を示す斜視図である。
【００６２】
変形例５に係る骨盤底筋サポーター６は、上記変形例４に係る骨盤底筋サポーター５の構成において、紐接続部材５６が、右回り牽引紐３１及び左回り牽引紐３２を連結することなく、人体の左右両サイドにおいて、後回り牽引紐３３と前回り牽引紐３４のみを一体に接続して連結することを特徴としている。よって、本変形例５では、上記変形例４と異なる構成についてのみ説明し、上記骨盤底筋サポーター５と同じ構成については、同じ番号を付して説明を省略する。
【００６３】
図１１に示すように、本変形例５に係る骨盤底筋サポーター６を装着すると、人体の両サイドにおいて、後回り牽引紐３３と前回り牽引紐３４が、低い位置の太腿回りを延在する右回り牽引紐３１及び左回り牽引紐３２と離れて、高い腰の位置を延在させることができる。腰回りはくびれの位置であるために、腰骨に引っ掛かることで、後回り牽引紐３３及び前回り牽引紐３４が容易に下にずり落ちない。
【００６４】
よって、本変形例５によれば、上記実施形態に係る作用効果に加えて、さらに、骨盤底筋サポーター６を安定して装着することができ、骨盤底筋を安定して支持することができる。
【００６５】
（変形例６）
続いて、上記実施形態の変形例６について説明する。図１２は、本実施形態の変形例６に係る骨盤底筋サポーターの牽引紐を広げた状態を示す斜視図である。図１３は、本実施形態の変形例６に係る骨盤底筋サポーターを人体に装着した状態を示す斜視図である。
【００６６】
変形例６に係る骨盤底筋サポーター７は、上記変形例５に係る骨盤底筋サポーター６の構成において、人体の左右両サイドにおいて、さらに二箇所目の位置で後回り牽引紐３３と前回り牽引紐３４とを一体に接続して連結する紐接続部材５７を備えることを特徴としている。よって、本変形例６では、上記変形例５と異なる構成についてのみ説明し、上記骨盤底筋サポーター６と同じ構成については、同じ番号を付して説明を省略する。各紐接続部材５７は、紐接続部材５６と同様に、一本のストッキング製紐から構成されており、接続する牽引紐３３，３４をひと結びにより一纏めに締結している。
【００６７】
このように、人体の両サイドにおいて、後回り牽引紐３３と前回り牽引紐３４とが二箇所で連結された骨盤底筋サポーター７を人体に装着すると、図１２に示すように、後回り牽引紐３３と前回り牽引紐３４との二つの連結場所の間（紐接続部材５６と紐接続部材５７との間）は、後回り牽引紐３３と前回り牽引紐３４とが一体に束ねられた状態となって、上下方向に延在する。
【００６８】
よって、前回り牽引紐３３及び後回り牽引紐３４は、腰回りで周回する部分３０Ａと、太腿回りで支持部材１０を牽引する部分３０Ｂとが、両サイドにおいて上下に延在する部分３０Ｃで連結された構造となる。ここで、支持部材１０をきちんと広がった状態で股間に密着させるには、太腿回りに位置する牽引紐３０によりなるべく水平に近い方向に牽引するのが望ましく、牽引紐３０がずり落ちないようするためには、牽引紐３０を腰のくびれ部分で延在させることが望ましい。
【００６９】
これに対して、本変形例６によれば、後回り牽引紐３３及び前回り牽引紐３４が、腰回りで周回する部分３０Ａと、太腿回りで支持部材１０を牽引する部分３０Ｂとして機能するので、装着後に牽引紐３３，３４がずり落ちることなく、且つ、支持部材１０を広がった状態で良好に装着することができる。
【００７０】
また、紐接続部材５６と同様に、紐接続部材５７も締結している牽引紐３３，３４に対してスライド可能であり、紐接続部材５６による締結位置と共に紐接続部材５７による締結位置を変えることで、後回り牽引紐３３や前回り牽引紐３４の牽引力を調整することができると共に、ウエスト位置の腰回りで延在する部分３０Ａの長さ調整（サイズ調整）を行うこともできる。
【００７１】
以上、変形例も含めて本発明の実施形態について説明したが、本発明の実施の形態は、上記実施形態に限定されるものではなく、本発明の主旨を逸脱しない範囲内で種々の変形が可能である。例えば、骨盤底筋サポーターを構成する部材のサイズや形状は適宜変更可能である。
【００７２】
また、上記実施形態では、後回り牽引紐及び前回り牽引紐が腰の部分で後側や前側に回るように構成しているが、腰回りに限らず、首回りや肩回りで後側や前側に回るように構成しても良い。
【００７３】
また、支持部材の形状や素材は、骨盤底筋を良好に押し上げることができる形状や素材であれば、適宜変更することができる。素材としては、布生地に限らず、シリコン等の樹脂や皮等を用いることができるが、骨盤底筋を確実に押し上げるためには、伸縮性の低い低伸縮性素材を用いるのが望ましい。また、支持部材に形成された挿通穴の位置や数も適宜変更可能である。
【００７４】
また、上記実施形態では、肌触りを重視し、牽引紐としてストッキング素材の布を丸めた紐を使用しているが、一般的な下着等で使用されている軟らかいゴム紐やこのゴム紐を縫い合わせたもの等、適宜他の素材の紐を用いることができる。
【符号の説明】
【００７５】
１，２，３，４，５，６，７  骨盤底筋サポーター
１０，２０，６０            支持部材
１１，２１，６１            右前挿通穴
１２，２２，６２            右後挿通穴
１３，２３，６３            左前挿通穴
１４，２４，６４            左後挿通穴
３０，４０                  牽引紐
３１，４１                  右回り牽引紐
３２，４２                  左回り牽引紐
３３，４３                  後回り牽引紐
３４，４４                  前回り牽引紐
５０                        長さ調整部材
５５                        締結紐
５６，５７                  紐接続部材
【図１】
2016087107.tif 000003
【図２】
2016087107.tif 000004
【図３】
2016087107.tif 000005
【図４】
2016087107.tif 000006
【図５】
2016087107.tif 000007
【図６】
2016087107.tif 000008
【図７】
2016087107.tif 000009
【図８】
2016087107.tif 000010
【図９】
2016087107.tif 000011
【図１０】
2016087107.tif 000012
【図１１】
2016087107.tif 000013
【図１２】
2016087107.tif 000014
【図１３】
2016087107.tif 000015